(57)【要約】【課題】  小電力で高速回転可能なモータの構造と、その励磁コイルから誘導電流を取り出す制御回路を備えた小電力自律回転発電機の提供を課題とする。【解決手段】  円盤状のロータ１の外周に一方の極（ＮまたはＳ極）を外に向けて等間隔で複数個配設固定した永久磁石３と、固定枠（ステータ）２に等間隔で前記永久磁石と同数配設されたコイル４と、永久磁石３の接近を検知する少なくともひとつのホール素子（磁気検出素子）８と、永久磁石３と前記コイル４が離れているときに励磁用電池６とコイル端子を接続状態として永久磁石３の磁極と逆の磁極に励磁し、吸引力によりロータ１を回転させ、永久磁石と前記コイルが接近したとき励磁用電池とコイル端子の接続を切り離し、コイル端子を充電回路を介して蓄電池７に接続する制御回路５を備え、前記コイル近傍を通過する永久磁石３によりコイル４に発生する誘導電流を蓄電池に充電することを特徴とする。【選択図】    図１
2009071985.tif 000002
【特許請求の範囲】
【請求項１】
軸受けに回転自在に軸支された回転軸に固定された円盤状のロータの外周に一方の極（ＮまたはＳ極）を外に向けて等間隔で複数個配設固定した永久磁石と、ロータと同心円で、ロータ外周に近接して設けられた固定枠（ステータ）に等間隔で前記永久磁石と同数配設されたコイルと、前記コイル近傍の固定枠（ステータ）に固定して配設され、ロータに配設され永久磁石の接近を検知する少なくともひとつのホール素子と、前記複数のコイルの端子及び前記ホール素子の制御端子と接続され、前記ロータに配設された永久磁石と前記コイルが離れているときに励磁用電池とコイル端子を接続状態としてコイルが永久磁石に対抗する内側を永久磁石の磁極と逆の磁極に励磁し、吸引力によりロータを回転させ、永久磁石と前記コイルが接近したとき励磁用電池とコイル端子の接続を切り離し、コイル端子を充電回路を介して蓄電池に接続する制御回路を備え、前記コイル近傍を通過する永久磁石によりコイルに発生する誘導電流を蓄電池に充電することを特徴とする小電力自律回転発電機。
【発明の詳細な説明】
【技術分野】
【０００１】
本発明は、小電力で高速回転するモータの励磁コイルから誘導電流を取り出す制御回路を備えた小電力自律回転発電機に関する。
【背景技術】
【０００２】
従来、永久磁石の磁極と電磁石の磁極との間の吸引と反発を利用して駆動させる小型モータが提案されていた。
【０００３】
特許文献１の発明は、隣り合った２つの磁極の両方ともが互いに相手のロータ（またはステータ）を引き合っていて、一方の極では永久磁石の磁束と電磁石の磁束が加算され、他方の極では減算になっているために、一方の吸引力が他方のそれに勝ってその方向に回転する小電力の小型モータである。
【０００４】
また、従来の発電機は、自動車搭載の発電機のように、エンジンからプーリーなどで伝達された回転により駆動するものがほとんどであった。
【０００５】
これに対し、騒音、二酸化炭素の排出を抑止する発電機として、小電力モータを用いて発電機を回転させる発明が特許文献２に提案されている。この発明は、発電機側に回転数により重心が内周から外周へと移動するフライホイールを使用し、発電機出力の電力負荷が増大したときの磁力抵抗を遠心力効果により相殺し、小電力モータで大型の発電機を回すことに特徴があった。  
【０００６】
しかしながら、モータの駆動力で発電機を回転させる従来のモータ駆動発電機では、発電効率が悪い問題があった。
【０００７】
【特許文献１】特開平８−９８４８２号公報（第３頁、第１図）
【特許文献２】特開２００２−１３８９４５号公報（第２頁、第１図）
【発明の開示】
【発明が解決しようとする課題】
【０００８】
本発明は、小電力で高速回転可能なモータの構造と、その励磁コイルから誘導電流を取り出す制御回路を備えた小電力自律回転発電機の提供を課題とする。
【課題を解決するための手段】
【０００９】
本発明の小電力自律回転発電機は、軸受けに回転自在に軸支された回転軸に固定された円盤状のロータの外周に一方の極（ＮまたはＳ極）を外に向けて等間隔で複数個配設固定した永久磁石と、ロータと同心円で、ロータ外周に近接して設けられた固定枠（ステータ）に等間隔で前記永久磁石と同数配設されたコイルと、前記コイル近傍の固定枠（ステータ）に固定して配設され、ロータに配設され永久磁石の接近を検知する少なくともひとつのホール素子と、前記複数のコイルの端子及び前記ホール素子の制御端子と接続され、前記ロータに配設された永久磁石と前記コイルが離れているときに励磁用電池とコイル端子を接続状態としてコイルが永久磁石に対抗する内側を永久磁石の磁極と逆の磁極に励磁し、吸引力によりロータを回転させ、永久磁石と前記コイルが接近したとき励磁用電池とコイル端子の接続を切り離し、コイル端子を充電回路を介して蓄電池に接続する制御回路を備え、前記コイル近傍を通過する永久磁石によりコイルに発生する誘導電流を蓄電池に充電することを特徴とする。
【発明の効果】
【００１０】
本発明によれば、ロータの外周に複数個の強力な磁場を形成する永久磁石を配設することにより、少ない電力で逆の磁極に励磁したコイルとの間に大きな吸引力を働かせてロータを回転させる。さらに、制御回路による切り替えにより、慣性で回転するロータに配設された永久磁石がコイルを横切る際にコイルに発生する誘導電流を取り出して電力として利用することができる。
【００１１】
この作用により、高速で安定した回転により高い発電能力を有する小電力自律回転発電機を得ることができる。
【発明を実施するための最良の形態】
【００１２】
本発明の小電力自律回転発電機の実施の形態を、以下図面に基づき詳細に説明する。
【００１３】
図１は、本発明の小電力自律回転発電機の構成を示す模式図である。
【００１４】
図１に示すように、小電力自律回転発電機１００は、軸受けに回転自在に軸支された回転軸１ａに固定された円盤状のロータ１と、ロータ１の外周に近接して設けられたロータ１と同心円状の固定枠（ステータ）２と、制御回路５と、励磁用電池６と、充電回路及び蓄電池７とから構成されている。
【００１５】
ロータ１には、一方の極（ＮまたはＳ極）を外に向けて等間隔で複数個固定した永久磁石３が配設固定されている。この実施例では、４５度間隔で８個の永久磁石３がＮ極を外周に向けて固定されている。
【００１６】
なお、この永久磁石は３５００ガウス程度の、高い磁場を有するものを用いる。
【００１７】
一方、ロータ１の外側の固定枠（ステータ）２には、８個のコイル４がロータ１の中心に向けて等間隔で配設固定されている。
【００１８】
コイル４の２端子と制御回路５、ホール素子（磁気検出素子）８と制御回路５、制御回路５と励磁用電池６、制御回路５と充電回路及び蓄電池７はそれぞれ電気的に接続されて、電流或いは制御信号が流れるように配線されている。（図２参照）
【００１９】
図２は、小電力自律回転発電機１００の断面模式図である。
【００２０】
ロータ１の回転軸１ａは、軸受け２ａに回転自在に軸支されている。この軸受け２ａは、可能な限り摩擦係数の低いものを用いることが望ましい。例えばボールベアリング軸受け、或いは磁気浮上軸受けなどである。
【００２１】
永久磁石３は、ロータ１の外周側がＮ極となるようにロータ１に埋め込み固定されている。永久磁石３のロータ１への取付けは、高速回転に耐えられるよう接着固定が望ましい。
【００２２】
一方、ロータ１の外周の固定枠（ステータ）２には鉄心４ａに巻かれたコイル４が配設固定され、ロータ１が回転すると、永久磁石３のＮ極がコイル４の鉄心４ａ先端近傍を通過する。
【００２３】
コイル４は、その端子から２芯の配線で制御回路５に接続されており、励磁用電池６に接続されると、ロータ側がＳ極になるよう励磁される。
【００２４】
制御回路５は、ホール素子８に制御電流を供給し、ホール素子８からの出力により永久磁石３の接近を検知し、コイル４の励磁回路を切断し、コイル４と充電回路及び蓄電池７とを接続し、永久磁石３の磁力線がコイル４に起こす誘導電流を蓄電池に充電させる。
【００２５】
図３は、コイル及びロータの一実施の形態の詳細を示す斜視図である。
【００２６】
コイル４は、図に示すように、鉄心４ａを中心にしたボビン４ｃに巻かれて、両端部から２芯配線４ｂが延長され、制御回路からの励磁電流を受け、或いは発生した誘導電流を取り出すことを基本構成とするものである。
【００２７】
この図では、ボビン４ｃの先端表面にホール素子８を取り付けて、ロータ１の外周に固定された永久磁石３のコイル４への接近を検知するようにしている。ホール素子８からは４本の制御用及び出力線が制御回路に接続されている。
【００２８】
図において、ロータ１に取り付けられた永久磁石３は、Ｓ極に励磁されたコイル４の鉄心４ａ方向に引き寄せられてロータ１を回転させる。
【００２９】
図４は、制御回路の切り替え動作を説明する模式図である。
【００３０】
コイル４近傍に取り付けられたホール素子８（図３ではコイルボビンに取り付け）はロータ１に等間隔で配設された永久磁石３の近接を出力電圧の変化として制御回路に入力させる。
【００３１】
ホール素子８が接続された制御回路５は、コイル４と永久磁石３の間隔が一定以上の場合（ホール素子８の出力が基準電圧以下の場合）ＳＷをａ−ｃ，ｂ−ｅに接続し、コイル励磁用電池６をコイル４の端子に接続しコイル４を励磁して永久磁石３を吸引させる。
【００３２】
永久磁石３が吸引されたコイル４に接近し、間隔が一定以下になった場合（ホール素子８の出力が基準電圧以上となった場合）ＳＷをａ−ｄ，ｂ−ｆに接続し、コイル４に発生する誘導電流を充電回路及び蓄電池７に接続する。図では、充電回路及び蓄電池７として充電用ダイオード７ａ、電気二重層コンデンサ７ｂを用いた例を示す。
【００３３】
なお、実施の形態として、永久磁石３と、コイル４との間隔または接近の検知にホール素子８を用いたが、コイル４直前を永久磁石３が通過するタイミングでＳＷをａ−ｄ，ｂ−ｆに接続させ、永久磁石３とコイル４との間隔が開いた際にＳＷをａ−ｃ，ｂ−ｅに接続させる切替回路であれば、他の異なる検知手段を用いてもよい。例えば、ロータの回転位置の光学検知を用いることもできる。
【図面の簡単な説明】
【００３４】
【図１】本発明の小電力自律回転発電機の構成を示す模式図である。
【図２】小電力自律回転発電機１００の断面模式図である。
【図３】コイル及びロータの一実施の形態の詳細を示す斜視図である。
【図４】制御回路の切り替え動作を説明する模式図である。
【符号の説明】
【００３５】
１    ロータ
１ａ  回転軸
２    固定枠（ステータ）
２ａ  軸受け
３    永久磁石
４    コイル
４ａ  鉄心
４ｂ  ２芯配線
４ｃ  ボビン
５    制御回路
６    励磁用電池
７    充電回路及び蓄電池
７ａ  充電用ダイオード
７ｂ  電気二重層コンデンサ
８    ホール素子（磁気検出素子）
１００    小電力自律回転発電機
【図１】
2009071985.tif 000003
【図２】
2009071985.tif 000004
【図３】
2009071985.tif 000005
【図４】
2009071985.tif 000006